(57)【要約】【課題】定着部材におけるエッジ傷の発生を防止できるとともに、温度の均一化を図ることができ、画像品質の向上を図ることができる画像形成装置を提供する。【解決手段】画像形成装置を、用紙を狭持して搬送する定着ニップを形成し、この定着ニップを通過する用紙を加熱、加圧することにより、トナー像を用紙に定着させる定着部材と、定着部材を用紙幅方向に移動させる移動部と、定着部材の端部に対応して配置されて定着部材とともに移動し、端部の温度を検出する温度検出部と、温度検出部の検出結果に基づいて、一定周期で定着部材を用紙幅方向に往復移動させる第１の移動制御と、定着部材の温度が所定の温度範囲となるように定着部材を用紙幅方向に移動させる第２の移動制御を行う制御部と、を備える構成とする。【選択図】図５
2014106417.tif 000002
【特許請求の範囲】
【請求項１】
用紙を狭持して搬送する定着ニップを形成し、この定着ニップを通過する用紙を加熱、加圧することにより、トナー像を用紙に定着させる定着部材と、
前記定着部材を用紙幅方向に移動させる移動部と、
前記定着部材の端部に対応して配置されて前記定着部材とともに移動し、前記端部の温度を検出する温度検出部と、
前記温度検出部の検出結果に基づいて、一定周期で前記定着部材を用紙幅方向に往復移動させる第１の移動制御、又は前記定着部材の温度が所定の温度範囲となるように前記定着部材を用紙幅方向に移動させる第２の移動制御を行う制御部と、
を備えることを特徴とする画像形成装置。
【請求項２】
前記温度検出部による検出結果が前記所定の温度範囲内である場合に前記第１の移動制御を行い、前記温度検出部による検出結果が前記所定の温度範囲外である場合に前記第２の移動制御を行うことを特徴とする請求項１に記載の画像形成装置。
【請求項３】
前記制御部は、前記温度検出部の検出結果が前記所定の温度範囲の上限温度を超える場合に当該温度検出部が配置されている前記端部の温度が降下する方向に前記定着部材を移動させ、前記温度検出部の検出結果が前記所定の温度範囲の下限温度を下回る場合に当該温度検出部が配置されている前記端部の温度が上昇する方向に前記定着部材を移動させることを特徴とする請求項１又は２に記載の画像形成装置。
【請求項４】
前記制御部は、用紙が前記定着ニップを通過する通紙中に、前記第２の移動制御を行うことを特徴とする請求項１から３のいずれか一項に記載の画像形成装置。
【請求項５】
前記制御部は、前記定着部材の移動方向とともに、前記定着部材の移動速度を制御することを特徴とする請求項１から４のいずれか一項に記載の画像形成装置。
【請求項６】
前記制御部は、前記温度検出部の検出結果と前記所定の温度範囲との乖離量に基づいて、前記定着部材の移動速度を設定することを特徴とする請求項５に記載の画像形成装置。
【請求項７】
前記制御部は、前記温度検出部の検出結果から算出される所定時間あたりの温度変化量に基づいて、前記移動速度を増減することを特徴とする請求項５又は６に記載の画像形成装置。
【請求項８】
前記温度検出部は、基準状態において用紙が通過することとなる通紙部分と、用紙が通過しないこととなる非通紙部分との境界の近傍に配置されることを特徴とする請求項１から７のいずれか一項に記載の画像形成装置。
【請求項９】
前記温度検出部が、前記定着部材の一方の端部に配置される第１の温度検出部と、他方の端部に配置される第２の温度検出部と、を有し、
前記制御部は、前記第１の温度検出部又は前記第２の温度検出部の検出結果に基づいて前記第２の移動制御を行うことを特徴とする請求項１から８のいずれか一項に記載の画像形成装置。
【請求項１０】
前記制御部は、前記第１の温度検出部と前記第２の温度検出部のうち、前記所定の温度範囲の上限温度を超えている方の検出結果に基づいて前記第２の移動制御を行うことを特徴とする請求項９に記載の画像形成装置。
【請求項１１】
前記制御部は、前記第１の温度検出部と前記第２の温度検出部のうち、前記所定の温度範囲の下限温度を下回る方の検出結果に基づいて前記第２の移動制御を行うことを特徴とする請求項９に記載の画像形成装置。
【請求項１２】
前記制御部は、前記第１の温度検出部と前記第２の温度検出部のうち、前記所定の温度範囲からの乖離量が大きい方の検出結果に基づいて前記第２の移動制御を行うことを特徴とする請求項９に記載の画像形成装置。
【請求項１３】
定着部材により用紙を狭持して搬送する定着ニップを形成し、この定着ニップに用紙を通過させて加熱、加圧することにより、トナー像を用紙に定着させる画像形成方法であって、
前記定着部材の端部の温度を検出し、
検出された前記定着部材の端部の温度に基づいて、一定周期で前記定着部材を用紙幅方向に往復移動させる第１の移動制御、又は前記定着部材の温度が所定の温度範囲となるように前記定着部材を用紙幅方向に移動させる第２の移動制御を行うことを特徴とする画像形成方法。
【発明の詳細な説明】
【技術分野】
【０００１】
本発明は、定着部を備える画像形成装置及び画像形成方法に関する。
【背景技術】
【０００２】
一般に、電子写真プロセス技術を利用した画像形成装置（プリンター、複写機、ファクシミリ等）においては、画像データに基づくレーザー光が、帯電した感光体に対して照射（露光）されることにより、感光体表面に静電潜像が形成される。そして、静電潜像が形成された感光体（像担持体）に現像装置からトナーが供給されることにより、静電潜像が可視化されてトナー像が形成される。このトナー像が、直接又は中間転写ベルトを介して間接的に用紙に転写された後、定着部で加熱、加圧されることにより、用紙に画像が形成される。
定着部は、用紙の定着面（トナー像が形成されている面）側に配置される定着面側部材（例えば定着ローラー）と、用紙の裏面（定着面の反対の面）側に配置される裏面側支持部材（例えば加圧ローラー）とを備える。定着面側部材に裏面側支持部材が圧接されることにより、用紙を狭持して搬送する定着ニップが形成される。以下において、定着面側部材と裏面側支持部材を総称して定着部材という。
【０００３】
このような画像形成装置において、多数枚の同一サイズの用紙に連続して画像形成が行われる場合に、用紙幅方向（用紙搬送方向に直交する方向、主走査方向）における用紙と定着ニップの相対位置が常に同じであると、用紙の用紙幅方向端部のエッジによって定着部材（特に定着面側部材）にエッジ傷が生じる。このエッジ傷は、画像品質を劣化させる要因となる。
エッジ傷を防止する技術として、例えば特許文献１には、定着部を用紙幅方向に揺動させて、用紙幅方向における用紙と定着ニップの相対位置を周期的に変化させるようにした画像形成装置が開示されている。
【０００４】
また、画像形成には様々なサイズの用紙が用いられるため、定着部材における通紙部分（用紙が通過する部分）と非通紙部分（用紙が通過しない部分、幅方向両端部近傍）は用いられる用紙によって異なる。例えば、小サイズの用紙を用いる場合に非通紙部分となっていても、大サイズの用紙を用いる場合には通紙部分となることがある。一方で、定着部材の非通紙部分は、用紙への熱の伝導がないために通紙部分よりも温度が上昇する。そのため、小サイズの用紙への画像形成が行われた後に、大サイズの用紙への画像形成が行われると、定着部材の用紙幅方向の温度分布が不均一となって定着むらやしわが発生したり、過加熱によりホットオフセットが発生したりする。
定着時に非通紙部分となる定着部材の端部の温度上昇を防止する技術として、例えば特許文献２には、定着部材の温度に基づいて、定着部を幅方向一端側又は他端側に移動させるようにした画像形成装置が開示されている。
以下において、定着部が一方向に移動する動作を定着部の「移動」と称し、特に、定着部が周期的に往復する動作を定着部の「揺動」と称する。
【０００５】
また、特許文献３には、エッジ傷対策のための定着部の揺動と定着部材の温度に基づく定着部の移動を組み合わせて適用できることが開示されている。
【先行技術文献】
【特許文献】
【０００６】
【特許文献１】特開２００６−９１２２４号公報
【特許文献２】特開２００９−１７５３４４号公報
【特許文献３】特開２０１１−１１８２８７号公報
【発明の概要】
【発明が解決しようとする課題】
【０００７】
しかしながら、従来、定着部材におけるエッジ傷の発生を防止できるとともに、温度の均一化を図ることができる画像形成装置は提案されていない。
すなわち、特許文献１に記載の画像形成装置は、定着部を揺動させるだけであり、定着部材の温度分布は考慮されていないので、定着部の揺動に伴い定着部材の温度（特に端部の温度）が不均一となる虞がある。
特許文献２に記載の画像形成装置は、定着部材の温度に基づいて定着部を一端側又は他端側に移動させるので、通紙領域が変化してエッジ傷の発生をも防止できると考えられる。しかし、その状態で連続して画像形成が行われることとなるため、エッジ傷の発生を十分に防止することはできない。
また、特許文献１、２に記載の技術は、何れも用紙が定着ニップを通過していない非通紙時に行われるものであるため、両者を併用しようとすると、何れか一方の機能が優先されることとなり、他方の機能が十分に発揮されなくなる。
【０００８】
特許文献３に記載の画像形成装置では、定着部材に一定の温度勾配が形成されることを前提とした上で、定着部材の温度に基づく定着部の移動が優先して行われるため、エッジ傷の発生を防止するための定着部の揺動範囲が制限される。また、特許文献３に記載の画像形成装置は、定着部材の温度分布（特に非通紙部分の温度）が経時的に変化することを考慮してなされたものではないので、定着部材の温度の均一化を図るのは困難である。
【０００９】
本発明の目的は、定着部材におけるエッジ傷の発生を防止できるとともに、温度の均一化を図ることができ、画像品質の向上を図ることができる画像形成装置及び画像形成方法を提供することである。
【課題を解決するための手段】
【００１０】
本発明に係る画像形成装置は、用紙を狭持して搬送する定着ニップを形成し、この定着ニップを通過する用紙を加熱、加圧することにより、トナー像を用紙に定着させる定着部材と、
前記定着部材を用紙幅方向に移動させる移動部と、
前記定着部材の端部に対応して配置されて前記定着部材とともに移動し、前記端部の温度を検出する温度検出部と、
前記温度検出部の検出結果に基づいて、一定周期で前記定着部材を用紙幅方向に往復移動させる第１の移動制御、又は前記定着部材の温度が所定の温度範囲となるように前記定着部材を用紙幅方向に移動させる第２の移動制御を行う制御部と、
を備えることを特徴とする。
【００１１】
本発明に係る画像形成方法は、定着部材により用紙を狭持して搬送する定着ニップを形成し、この定着ニップに用紙を通過させて加熱、加圧することにより、トナー像を用紙に定着させる画像形成方法であって、
前記定着部材の端部の温度を検出し、
検出された前記定着部材の端部の温度に基づいて、一定周期で前記定着部材を用紙幅方向に往復移動させる第１の移動制御、又は前記定着部材の温度が所定の温度範囲となるように前記定着部材を用紙幅方向に移動させる第２の移動制御を行うことを特徴とする。
【発明の効果】
【００１２】
本発明によれば、定着部材の端部の温度に基づいて第１の移動制御と第２の移動制御を適宜に切り替えて実行するので、定着部材におけるエッジ傷の発生を防止できるとともに、温度の均一化を図ることができ、画像品質の向上を図ることができる。
【図面の簡単な説明】
【００１３】
【図１】実施の形態に係る画像形成装置の全体構成を示す図である。
【図２】実施の形態に係る画像形成装置の制御系の主要部を示す図である。
【図３】第１の実施の形態に係る定着部の詳細を示す図である。
【図４】定着部の揺動状態を示す図である。
【図５】第１の実施の形態に係る定着移動制御処理の一例を示すフローチャートである。
【図６】第２の実施の形態に係る定着部の詳細を示す図である。
【図７】第２の実施の形態に係る定着移動制御処理の一例を示すフローチャートである。
【発明を実施するための形態】
【００１４】
［第１の実施の形態］
以下、本発明の実施の形態を図面に基づいて詳細に説明する。
図１は、本発明の実施の形態に係る画像形成装置１の全体構成を示す図である。図２は、実施の形態に係る画像形成装置１の制御系の主要部を示す図である。
図１、２に示す画像形成装置１は、電子写真プロセス技術を利用した中間転写方式のカラー画像形成装置である。また、画像形成装置１には、ＹＭＣＫの４色に対応する感光体ドラム４１３を中間転写ベルト４２１の走行方向（鉛直方向）に直列配置し、中間転写ベルト４２１に一回の手順で各色トナー像を順次転写させる縦型タンデム方式が採用されている。
すなわち、画像形成装置１は、感光体ドラム４１３上に形成されたＹ（イエロー）、Ｍ（マゼンタ）、Ｃ（シアン）、Ｋ（ブラック）の各色トナー像を中間転写ベルト４２１に転写（一次転写）し、中間転写ベルト４２１上で４色のトナー像を重ね合わせた後、用紙Ｓに転写（二次転写）することにより、画像を形成する。
【００１５】
図１、２に示すように、画像形成装置１は、画像読取部１０、操作表示部２０、画像処理部３０、画像形成部４０、用紙搬送部５０、定着部６０、及び制御部１００を備える。
【００１６】
制御部１００は、ＣＰＵ（Central Processing Unit）１０１、ＲＯＭ（Read Only Memory）１０２、ＲＡＭ（Random Access Memory）１０３等を備える。ＣＰＵ１０１は、ＲＯＭ１０２から処理内容に応じたプログラムを読み出してＲＡＭ１０３に展開し、展開したプログラムと協働して画像形成装置１の各ブロックの動作を集中制御する。このとき、記憶部７２に格納されている各種データが参照される。記憶部７２は、例えば不揮発性の半導体メモリ（いわゆるフラッシュメモリ）やハードディスクドライブで構成される。
【００１７】
また、制御部１００は、通信部７１を介して、ＬＡＮ（Local Area Network）、ＷＡＮ（Wide Area Network）等の通信ネットワークに接続された外部の装置（例えばパーソナルコンピュータ）との間で各種データの送受信を行う。制御部１００は、例えば、外部の装置から送信された画像データを受信し、この画像データ（入力画像データ）に基づいて用紙Ｓに画像を形成させる。通信部７１は、例えばＬＡＮカード等の通信制御カードで構成される。
【００１８】
画像読取部１０は、ＡＤＦ（Auto Document Feeder）と称される自動原稿給紙装置１１及び原稿画像走査装置１２（スキャナー）等を備えて構成される。
自動原稿給紙装置１１は、原稿トレイに載置された原稿Ｄを搬送機構により搬送して原稿画像走査装置１２へ送り出す。自動原稿給紙装置１１は、原稿トレイに載置された多数枚の原稿Ｄの画像（両面を含む）を連続して一挙に読み取ることができる。
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００１９】
操作表示部２０は、例えばタッチパネル付の液晶ディスプレイ（ＬＣＤ：Liquid Crystal Display）で構成され、表示部２１及び操作部２２として機能する。表示部２１は、制御部１００から入力される表示制御信号に従って、各種操作画面、画像の状態表示、各機能の動作状況等の表示を行う。操作部２２は、テンキー、スタートキー等の各種操作キーを備え、ユーザーによる各種入力操作を受け付けて、操作信号を制御部１００に出力する。
【００２０】
画像処理部３０は、入力画像データに対して、初期設定又はユーザー設定に応じたデジタル画像処理を行う回路等を備える。例えば、画像処理部３０は、制御部１００の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２１】
画像形成部４０は、入力画像データに基づいて、Ｙ成分、Ｍ成分、Ｃ成分、Ｋ成分の各有色トナーによる画像を形成するための画像形成ユニット４１、中間転写ユニット４２、及び二次転写ユニット４３等を備える。
【００２２】
画像形成ユニット４１は、Ｙ成分、Ｍ成分、Ｃ成分、Ｋ成分用の４つの画像形成ユニット４１Ｙ、４１Ｍ、４１Ｃ、４１Ｋで構成される。画像形成ユニット４１Ｙ、４１Ｍ、４１Ｃ、４１Ｋは、同様の構成を有するので、図示及び説明の便宜上、共通する構成要素は同一の符号で示し、それぞれを区別する場合には符号にＹ、Ｍ、Ｃ、又はＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００２３】
画像形成ユニット４１は、露光装置４１１、現像装置４１２、感光体ドラム４１３、帯電装置４１４、及びドラムクリーニング装置４１５等を備える。
【００２４】
感光体ドラム４１３は、例えばアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。
電荷発生層は、電荷発生材料（例えばフタロシアニン顔料）を樹脂バインダー（例えばポリカーボネイト）に分散させた有機半導体からなり、露光装置４１１による露光により一対の正電荷と負電荷を発生する。電荷輸送層は、正孔輸送性材料（電子供与性含窒素化合物）を樹脂バインダー（例えばポリカーボネート樹脂）に分散させたものからなり、電荷発生層で発生した正電荷を電荷輸送層の表面まで輸送する。
制御部１００が感光体ドラム４１３を回転させる駆動用モーター（図示略）に供給される駆動電流を制御することにより、感光体ドラム４１３は一定の周速度で回転する。
【００２５】
帯電装置４１４は、光導電性を有する感光体ドラム４１３の表面を一様に負極性に帯電させる。
露光装置４１１は、例えば半導体レーザーで構成され、感光体ドラム４１３に対して各色成分の画像に対応するレーザー光を照射する。感光体ドラム４１３の電荷発生層で正電荷が発生し、電荷輸送層の表面まで輸送されることにより、感光体ドラム４１３の表面電荷（負電荷）が中和される。感光体ドラム４１３の表面には、周囲との電位差により各色成分の静電潜像が形成されることとなる。
【００２６】
現像装置４１２は、各色成分の現像剤（例えば、小粒径のトナーと磁性体とからなる二成分現像剤）を収容しており、感光体ドラム４１３の表面に各色成分のトナーを付着させることにより静電潜像を可視化してトナー像を形成する。
ドラムクリーニング装置４１５は、感光体ドラム４１３の表面に摺接されるドラムクリーニングブレード等を有し、一次転写後に感光体ドラム４１３の表面に残存する転写残トナーを除去する。
【００２７】
中間転写ユニット４２は、中間転写ベルト４２１、一次転写ローラー４２２、バックアップローラー４２３Ａを含む複数の支持ローラー４２３、及びベルトクリーニング装置４２６等を備える。
中間転写ベルト４２１は無端状ベルトで構成され、複数の支持ローラー４２３にループ状に張架される。複数の支持ローラー４２３のうちの少なくとも一つは駆動ローラーで構成され、その他は従動ローラーで構成される。駆動ローラーとなる支持ローラー４２３が回転することにより、中間転写ベルト４２１は矢印Ａ方向に一定速度で走行する。一次転写ローラー４２２によって中間転写ベルト４２１が感光体ドラム４１３に圧接されることにより、中間転写ベルト４２１に各色トナー像が順次重ねて一次転写される。
【００２８】
二次転写ユニット４３は、例えば二次転写ローラー４３１を備える。二次転写ユニット４３は、二次転写ローラーを含む複数の支持ローラーに、二次転写ベルトがループ状に張架された構成であってもよい。
中間転写ベルト４２１を介して、二次転写ローラー４３１がバックアップローラー４２３Ａに圧接されることにより、転写ニップ（転写部）が形成される。この転写ニップを用紙Ｓが通過する際、中間転写ベルト４２１に担持されているトナー像が用紙Ｓに二次転写される。具体的には、トナーと逆極性の電圧（転写バイアス）を二次転写ローラー４３１に印加することにより、トナー像は用紙Ｓに静電的に転写される。トナー像が転写された用紙Ｓは定着部６０に向けて搬送される。
【００２９】
ベルトクリーニング装置４２６は、中間転写ベルト４２１の表面に摺接されるベルトクリーニングブレード等を有し、二次転写後に中間転写ベルト４２１の表面に残存する転写残トナーを除去する。
【００３０】
定着部６０は、搬送されてきた用紙Ｓを定着ニップで加熱、加圧することにより、用紙Ｓにトナー像を定着させる。定着部６０は、定着器Ｆ内にユニットとして配置される。定着器Ｆ内には、エアを吹き付けることにより、定着面側部材６１又は裏面側支持部材６２から用紙Ｓを分離させるエア分離ユニットを配置してもよい。
【００３１】
定着部６０は、用紙の定着面（トナー像が形成されている面）側に配置される定着面側部材６１、用紙の裏面（定着面の反対の面）側に配置される裏面側支持部材６２、及び加熱源６３等を備える。定着面側部材６１に裏面側支持部材６２が圧接されることにより、用紙Ｓを狭持して搬送する定着ニップが形成される。
【００３２】
図１に示す定着部６０には、いわゆるベルト加熱方式が適用されている。すなわち、定着ローラー６４及び加熱ローラー６５に張架された無端状の定着ベルトが定着面側部材６１となる。また、定着部６０では、加圧ローラーで裏面側支持部材６２が構成される。裏面側支持部材６２である加圧ローラーは、圧接離間部６６（図２参照）により定着面側部材６１である定着ベルトに圧接される。
加熱源６３は、例えばハロゲンランプや抵抗発熱体等で構成され、加熱ローラー６５に内蔵される。なお、加熱源６３には、電磁誘導加熱（ＩＨ：Induction Heating）方式のものを採用してもよい。
【００３３】
加熱源６３によって加熱ローラー６５が加熱され、その結果、定着面側部材６１である定着ベルトが幅方向にわたって所定の定着温度（例えば１７０℃）で均一となるように加熱される。定着温度とは、用紙Ｓ上のトナーを溶融するのに必要な熱エネルギーを供給しうる温度であり、画像形成される用紙Ｓの紙種等によって異なる。
定着ベルト６１、加圧ローラー６２、圧接離間部６６、及び加熱源６３等の駆動制御は、制御部１００によって行われる。
【００３４】
なお、定着部６０の構成は上述したものに限定されず、例えば定着面側部材６１を定着ローラーで構成してもよいし、裏面側支持部材６２を加圧ベルト又は加圧パッドで構成してもよい。
以下において、定着面側部材６１と裏面側支持部材６２を総称して定着部材ＦＭと記載することとする。
【００３５】
用紙搬送部５０は、給紙部５１、排紙部５２、第１の搬送部５３、及び第２の搬送部５７等を備える。
給紙部５１を構成する３つの給紙トレイユニット５１ａ〜５１ｃには、坪量やサイズ等に基づいて識別された用紙Ｓ（規格用紙、特殊用紙）が予め設定された種類ごとに収容される。
【００３６】
第１の搬送部５３は、中間搬送ローラー部５４、ループローラー部５５、及びレジストローラー部５６を含む複数の搬送ローラー部を備え、給紙部５１又は第２の搬送部５７から給紙された用紙Ｓを画像形成部４０の転写部に搬送する。第１の搬送部５３により搬送される過程で、用紙Ｓの傾き及び幅方向の位置（片寄り）が補正される。
【００３７】
第２の搬送部５７は、複数の搬送ローラー部が配置されたスイッチバック経路５８及び裏面用搬送路５９を備える。第２の搬送部５７は、用紙Ｓをスイッチバック経路５８に一旦搬送した後、スイッチバックさせて裏面用搬送路５９に搬送することにより用紙Ｓを反転させ、第１の搬送部５３（ループローラー部５５の上流）に供給する。
【００３８】
第１の搬送部５３により搬送されてきた用紙Ｓが転写ニップを通過する際、中間転写ベルト４２１のトナー像が用紙Ｓの一方の面（画像形成面）に一括して二次転写され、定着部６０において定着処理が施される。画像が形成された用紙Ｓは、排紙ローラー５２ａを備えた排紙部５２により機外に排紙される。
【００３９】
図３は、定着部６０の揺動機構を示す図である。図３に示すように、定着面側部材６１と裏面側支持部材６２で構成される定着部材ＦＭ、及び定着部６０を構成するその他の部材は、筐体フレーム６５に固定される。定着部６０は、ベース部材（図示略）に載置され、用紙幅方向に移動可能に支持される。
【００４０】
また、画像形成装置１は定着部６０を用紙幅方向に移動させる移動部８１、定着部材ＦＭの端部の温度を検出する温度検出部８２を備える。
定着部６０（筐体フレーム６５）の用紙幅方向の一端側（図３では左側）には、偏心カム８１１が当接して配置され、他端側（図３では右側）には付勢部材８１２が当接して配置される。偏心カム８１１は、駆動モーター（図示略）に接続され、回転軸８１１ａを中心に回転する。偏心カム８１１（駆動モーター（図示略））の駆動制御は、制御部１００によって行われる。付勢部材８１２は、定着部６０を偏心カム８１１側に向けて付勢する。
すなわち、ここでは偏心カム８１１、付勢部材８１２、及び駆動モーター（図示略）で移動部８１が構成される。なお、移動部８１として、ラック・アンド・ピニオン機構を利用したものを適用することもできる。
【００４１】
偏心カム８１１が回転軸８１１ａを中心に回転することにより、定着部６０が用紙幅方向に移動する（図４参照）。例えば、図３に示す基準状態から、偏心カム８１１が反時計回りに回転すると、定着部６０は基準状態よりも左側に移動する（図４Ａ参照）。また例えば、図３に示す基準状態から、偏心カム８１１が時計回りに回転すると、定着部６０は基準状態よりも右側に移動する（図４Ｂ参照）。つまり、偏心カム８１１が回転軸８１１ａを中心に回転することにより、基準状態を揺動中心として、定着部６０は用紙幅方向に所定の範囲で揺動する。
【００４２】
用紙Ｓは、定着部６０が図３に示す基準状態となっているとき、定着部材ＦＭの用紙幅方向中央部を通過するように搬送される。すなわち、基準状態においては、定着部材ＦＭの用紙幅方向中央部が用紙Ｓの通紙領域に対応する通紙部分ＰＦとなり、両端部が用紙Ｓの非通紙領域に対応する非通紙部分ＮＰＦ１、ＮＰＦ２となる。定着部材ＦＭの通紙部分ＰＦの温度制御は用紙Ｓに熱エネルギーが伝達されることを考慮して行われ、定着部材ＦＭの非通紙部分ＰＦの温度制御は用紙Ｓへの熱エネルギーの伝達が少ないことを考慮して行われる。
【００４３】
ここで、定着部６０が用紙幅方向に移動すると、定着部材ＦＭの通紙部分ＰＦ、非通紙部分ＰＦ１、ＰＦ２は変化することとなる。つまり、基準状態において通紙部分ＰＦと非通紙部分ＮＰＦ１、ＮＰＦ２の境界Ｂ１、Ｂ２の近傍となっている部分は、定着部６０の移動に伴い、通紙部分ＰＦとなったり、非通紙部分ＮＰＦ１、ＮＰＦ２となったりする。したがって、通紙部分ＰＦと非通紙部分ＮＰＦ１、ＮＰＦ２の境界Ｂ１、Ｂ２の近傍では、加熱源６３による温度制御では間に合わず、定着性能が損なわれるような定着処理に不適切な温度になる虞がある。
【００４４】
また、定部６０においては、定着器Ｆ又は定着器Ｆから送出される用紙Ｓからの熱（水蒸気が含まれる場合もある）を外部に放出するために、通常、ファンモーターとエアダクト等による所定のエアフローが形成される。例えば、画像形成装置１の本体背面（図１において紙面奥側、図３において右側）に排気口が設けられている場合、図３に示す定着部６０では左側から右側に向けてエアフローが形成される。この場合、定着部材ＦＭの左端部では温度が降下しやすくなり、定着部材ＦＭの右端部では温度が上昇しやすくなる。
【００４５】
そこで、本実施の形態では、温度検出部８２により定着部材ＦＭの端部の温度を検出し、その検出結果に基づいて定着部材ＦＭの温度が所定の温度範囲となるように、定着部６０の移動制御が行われるようになっている。
【００４６】
温度検出部８２は、例えば筐体フレーム６５に固定され、定着部６０が移動するときに一緒に移動する。つまり、温度検出部８２は、定着部６０の移動の有無にかかわらず、定着部材ＦＭの所定の部位の温度を検出する。
温度検出部８２は、サーミスタや熱電対等の接触式のものであってもよいし、ＮＣセンサー等の非接触式のものであってもよい。また、温度検出部８２の検出結果に基づいて、加熱源６３の駆動制御を行うようにしてもよい。
【００４７】
温度検出部８２は、ここでは定着部材ＦＭの一方の端部（図３では左端部）に対応して配置される。通常、定着部材ＦＭの他方の端部（図３では右端部）における温度変化は、一方の端部の温度変化とは逆の挙動になると考えてよいので、第１の実施の形態では、定着部材ＦＭの一方の端部にのみ対応して温度検出部８２を配置している。
ここで、定着部材ＦＭの端部とは、常時、又は定着部６０の移動により一時的に非通紙部分又は通紙部分となる部分である。好ましくは、温度検出部８２は、基準状態における通紙部分ＰＦと非通紙部分ＮＰＦ１、ＮＰＦ２との境界（ここでは境界Ｂ１）の近傍に配置される。これにより、定着部６０の移動に伴い熱エネルギーの伝達態様が変化する部分における定着部材ＦＭの温度変化を的確に検出することができる。
【００４８】
好ましくは、温度検出部８２は、画像形成に用いられる用紙Ｓの用紙幅情報に基づいて、用紙幅方向の位置を調整できるように構成する。温度検出部８２を固定して配置すると、用紙サイズ（用紙幅）によって温度検出部８２と用紙端部との相対位置（距離）が変動することとなり、紙種によっては基準状態における通紙部分ＰＦと非通紙部分ＮＰＦ１、ＮＰＦ２との境界Ｂ１、Ｂ２近傍の温度を的確に検出できなくなる虞があるためである。つまり、上述した構成とすることにより、画像形成に用いられる用紙Ｓの用紙幅が変化しても、基準状態における通紙部分ＰＦと非通紙部分ＮＰＦ１、ＮＰＦ２との境界Ｂ１、Ｂ２近傍の温度を的確に検出することができる。
【００４９】
本実施の形態では、エッジ傷対策として、定着部６０を一定周期で用紙幅方向に往復移動させる第１の移動制御が行われる。また、定着部材ＦＭの温度の均一化を図るために、温度検出部８２の検出結果に基づいて定着部６０を用紙幅方向に移動させる第２の移動制御が行われる。具体的には、制御部１００が図５に示す定着移動制御処理を行うことにより、第１の移動制御又は第２の移動制御が選択的に行われる。
【００５０】
図５は、第１の実施の形態に係る定着移動制御処理の一例を示すフローチャートである。図５に示す定着移動制御処理は、例えば、画像形成処理が開始されることに伴い、ＣＰＵ１０１がＲＯＭ１０２に格納されている所定のプログラムを実行することにより実現される。以下の説明においては、便宜上、温度検出部８２は定着部材ＦＭの左端部の温度を検出するように配置され（図３参照）、また定着部材ＦＭの定着温度は１７０℃であるものとする。
【００５１】
図５のステップＳ１０１において、制御部１００は、温度検出部８２によって検出された検出温度Ｔ（定着部材ＦＭの左端部の温度）を取得する。第１の移動制御又は第２の移動制御が行われると、温度検出部８２に対応する定着部材ＦＭの左端部が通紙領域に近づいたり（場合によっては通紙領域となることもある）、通紙領域から遠ざかったりするため、温度検出部８２による検出温度Ｔが変化する。具体的には、定着部材ＦＭの左端部が通紙領域に近づくと用紙Ｓへ伝達される熱エネルギーが増大するので検出温度Ｔは低下し、通紙領域から遠ざかると用紙Ｓへ伝達される熱エネルギーが減少するので検出温度Ｔは上昇することとなる。
【００５２】
ステップＳ１０２において、制御部１００は、検出温度Ｔが所定の温度範囲内にあるか否かを判定する。所定の温度範囲とは、定着部６０が移動しても、定着部材ＦＭの通紙部分ＰＦの温度を定着温度付近（例えば定着温度１７０℃±５℃）に保持できるか否かを判断するために設定される温度範囲である。定着温度が１７０℃である場合、所定の温度範囲は例えば１６５℃〜１９０℃に設定される。つまり、検出温度Ｔが１６５℃〜１９０℃の範囲内であれば、定着部６０が何れの方向に移動しても定着部材ＦＭの通紙部分ＰＦの温度は定着温度±５℃に保持され、１６５℃未満又は１９０℃超となれば、定着部ＦＭが何れかの方向に移動すると通紙部分ＰＦの温度が定着温度±５℃の範囲外になる虞があるということである。
【００５３】
制御部１００は、検出温度Ｔが所定の温度範囲内（ここでは１６５℃〜１９０℃）にあると判定した場合はステップＳ１０３の処理に移行して第１の移動制御を行い、検出温度Ｔが所定の温度範囲外であると判定した場合はステップＳ１０４の処理に移行して第２の移動制御を行う。これにより、効率よく、定着部材におけるエッジ傷の発生を防止できるとともに、温度の均一化を図ることができ、画像品質の向上を図ることができる。
【００５４】
検出温度Ｔが所定の温度範囲内にある場合（ステップＳ１０２で”ＹＥＳ”）、ステップＳ１０３において、制御部１００は、第１の移動制御を行う。つまり、定着部６０が移動しても通紙部分ＰＦの温度は定着温度付近に保持されると判断できるので、エッジ傷の発生を防止するための第１の移動制御が行われる。
【００５５】
第１の移動制御では、定着部６０は、図４に示す揺動範囲内で一定周期で用紙幅方向に往復移動する。
第１の移動制御における定着部６０の移動動作は、用紙Ｓが定着ニップを通過していない非通紙時（いわゆる紙間）に行うのが好ましい。通紙時に定着部６０を移動させると、用紙Ｓに捻れが生じ、紙しわによる通紙不良や画像すれによる画像ノイズが発生する虞があるためである。また、定着部６０の移動動作を非通紙時に行う場合は、定着部６０の移動速度を、第２の移動制御における移動速度よりも高速に設定することができる（例えば１．０ｍｍ／ｓｅｃ）。これにより、用紙幅方向における用紙と定着ニップの相対位置を大きく変化させることができるので、エッジ傷の発生を効率よく防止することができる。
【００５６】
検出温度Ｔが所定の温度範囲外である場合（ステップＳ１０２で”ＮＯ”）、ステップＳ１０４において、制御部１００は、検出温度Ｔが下限温度ＴL（ここでは１６５℃）よりも低いか否か、すなわち検出温度Ｔが下限温度ＴLを下回って所定の温度範囲外となっているのか、上限温度ＴUを超えて所定の温度範囲外となっているのかを判定する。そして、制御部１００は、検出温度Ｔが下限温度ＴLよりも低いと判定した場合はステップＳ１０５の処理に移行し、検出温度Ｔが下限温度ＴLよりも高い、つまり検出温度Ｔが上限温度ＴU（ここでは１９０℃）よりも高いと判定した場合はステップＳ１０６の処理に移行する。
【００５７】
例えば、図３に示す基準状態よりも定着部６０が右側に移動する場合、用紙Ｓは定着部材ＦＭに対して相対的に左端部側に通紙される、すなわち定着部材ＦＭの左端部が通紙領域に近づく。この場合、定着部材ＦＭの左端部から用紙Ｓへ伝達される熱エネルギーが増大していくので、検出温度Ｔが下限温度ＴLを下回る現象が生じうる。一方、図３に示す基準状態よりも定着部６０が左側に移動している場合、用紙Ｓは定着部材ＦＭに対して相対的に右端部側に通紙される、すなわち定着部材ＦＭの左端部は通紙領域から遠ざかる。この場合、定着部材ＦＭの左端部から用紙Ｓへ伝達される熱エネルギーは減少していくので、検出温度Ｔが上限温度ＴUを超える現象が生じうる。
【００５８】
検出温度Ｔが下限温度ＴLを下回っている場合（ステップＳ１０４で“ＹＥＳ”）、ステップＳ１０５において、制御部１００は、定着部材ＦＭの左端部の温度が上昇する方向に定着部６０を移動させる。定着部材ＦＭの左端部の温度が上昇する方向とは、定着部材ＦＭの左端部が通紙領域から遠ざかる方向であり、ここでは左側である。定着部６０が右側に移動している場合は移動方向が反転され、定着部６０が左側に移動している場合は移動方向はそのままとされる。
【００５９】
定着部材ＦＭの左端部が通紙領域から遠ざかると、用紙Ｓに奪われる熱エネルギーよりも加熱源６３から供給される熱エネルギーが大きくなるため、定着部材ＦＭの左端部の温度降下は抑制される。そして、この第２の移動制御が繰り返されることで、定着部材ＦＭの左端部の温度は所定の温度範囲まですぐに回復する。定着部材ＦＭの左端部の温度が所定の温度範囲内に戻ると、次回の定着移動制御処理によって第１の移動制御が行われることとなる。
【００６０】
定着部６０が右側に移動して検出温度Ｔが下限温度ＴL未満となっているときに、さらに右側に移動すると、用紙Ｓに伝達される熱エネルギーが不足して定着不良が発生する虞がある。本実施の形態では、ステップＳ１０５の第２の移動制御が行われるので、このような不具合が生じるのを防止できる。
【００６１】
ここで、ステップＳ１０５の第２の移動制御における定着部６０の移動動作は、用紙Ｓが定着ニップを通過する通紙時にも行うのが好ましい。これにより、定着部材ＦＭの左端部の温度を、短時間で所定の温度範囲まで上昇させることができる。このとき、第２の移動制御における移動速度は、用紙Ｓに捻れが生じない程度に低速に設定される（例えば０．２ｍｍ／ｓｅｃ）。また、第２の移動制御において、用紙Ｓの捻れを考慮する必要がない非通紙時には、移動速度を高速に設定してもよい（例えば１．０ｍｍ／ｓｅｃ）。これにより、エッジ傷の発生を効果的に防止できるとともに、定着部材ＦＭの左端部の温度をより効率よく上昇させることができる。
【００６２】
さらに、制御部１００は、温度検出部８２の検出結果と所定の温度範囲との乖離量（検出温度Ｔと下限温度ＴLとの温度差）に基づいて、定着部６０の移動速度を設定するようにしてもよい。例えば、表１に示すように、温度検出部８２による検出温度Ｔと下限温度ＴL（ここでは１６５℃）との乖離量が大きくなるに伴い高速になるように設定する。また、第２の移動制御が行われることにより検出温度Ｔが上昇した場合は、そのときの検出温度Ｔに応じた移動速度（直前の移動速度よりも低速）に設定される。これにより、用紙Ｓの捻れを防止しつつ、定着部材ＦＭの左端部の温度をより効率よく上昇させることができる。第２の移動制御を行っても、定着部材ＦＭの左端部の温度が改善されない場合に有効である。
【００６３】
【表１】
2014106417.tif 000003
【００６４】
検出温度Ｔが上限温度ＴUを超えている場合（ステップＳ１０４で“ＮＯ”）、ステップＳ１０６において、制御部１００は、定着部材ＦＭの左端部の温度が降下する方向に定着部６０を移動させる。定着部材ＦＭの左端部の温度が降下する方向とは、定着部材ＦＭの左端部が通紙領域に近づく方向であり、ここでは右側である。定着部６０が左側に移動している場合は移動方向が反転され、定着部６０が右側に移動している場合は移動方向はそのままとされる。
【００６５】
定着部材ＦＭの左端部が通紙領域に近づくと、加熱源６３から供給される熱エネルギーよりも用紙Ｓに奪われる熱エネルギーが大きくなるため、定着部材ＦＭの左端部の温度上昇は抑制される。そして、この第２の移動制御が繰り返されることで、定着部材ＦＭの左端部の温度は所定の温度範囲まですぐに回復する。定着部材ＦＭの左端部の温度が所定の温度範囲内に戻ると、次回の定着移動制御処理によって第１の移動制御が行われることとなる。
【００６６】
定着部６０が左側に移動して検出温度Ｔが上限温度ＴU超となっているときに、さらに左側に移動すると、定着部材ＦＭの左端部の温度が上昇しすぎて、その後移動方向が反転したときにホットオフセットが発生する虞がある。また、定着部材ＦＭの温度が高温のまま保持されると、定着部材ＦＭ（特にゴム材、接着界面）の耐久性が加速度的に劣化する。本実施の形態では、ステップＳ１０６の第２の移動制御が行われるので、このような不具合が生じるのを防止できる。
【００６７】
ステップＳ１０５の第２の移動制御と同様に、ステップＳ１０６の第２の移動制御における定着部６０の移動動作は、用紙Ｓが定着ニップを通過する通紙時にも行うのが好ましい。これにより、定着部材ＦＭの左端部の温度を、短時間で所定の温度範囲まで降下させることができる。このとき、第２の移動制御における移動速度は、用紙Ｓに捻れが生じない程度に低速に設定される（例えば０．２ｍｍ／ｓｅｃ）。また、第２の移動制御において、用紙Ｓの捻れを考慮する必要がない非通紙時には、移動速度を高速に設定してもよい（例えば１．０ｍｍ／ｓｅｃ）。これにより、定着部材ＦＭにおけるエッジ傷の発生を効果的に防止できるとともに、定着部材ＦＭの左端部の温度をより効率よく降下させることができる。
【００６８】
さらに、制御部１００は、温度検出部８２の検出結果と所定の温度範囲との乖離量（検出温度Ｔと上限温度ＴUとの温度差）に基づいて、定着部６０の移動速度を設定するようにしてもよい。例えば、表２に示すように、温度検出部８２による検出温度Ｔと上限温度ＴU（ここでは１９０℃）との乖離量が大きくなるに伴い高速になるように設定する。また、第２の移動制御が行われることにより検出温度Ｔが降下した場合は、そのときの検出温度Ｔに応じた移動速度（直前の移動速度よりも低速）に設定される。これにより、用紙Ｓの捻れを防止しつつ、定着部材ＦＭの左端部の温度をより効率よく降下させることができる。第２の移動制御を行っても、定着部材ＦＭの左端部の温度が改善されない場合に有効である。
【００６９】
【表２】
2014106417.tif 000004
【００７０】
なお、ステップＳ１０５の第２の移動制御により図４Ｂに示すように定着部６０が揺動範囲の限界まで右側に移動した後、又はステップＳ１０６の第２の移動制御により図４Ａに示すように定着部６０が揺動範囲の限界まで左側に移動した後は、その状態で所定時間保持されるものとする。所定時間経過しても検出温度Ｔが改善されない場合は、異常と判断して画像形成処理を停止させるようにしてもよい。
【００７１】
また、ステップＳ１０５、Ｓ１０６の第２の移動制御において、制御部１００は、温度検出部８２の検出結果から算出される所定時間当たりの温度変化量に基づいて、移動速度を増減するようにしてもよい。これにより、定着部材ＦＭの左端部の温度を効率よく所定の温度範囲内に回復させることができる。
具体的には、検出温度Ｔが下限温度ＴLを下回る直前、又は検出温度Ｔが上限温度ＴUを超える直前における所定時間当たりの温度変化量ΔＴが大きい場合（例えばΔＴ＞０．８℃／ｓｅｃ）は第２の移動制御における移動速度を高速に設定し（例えば０．４ｍｍ／ｓｅｃ）、所定時間当たりの温度変化量ΔＴが小さい場合（例えばΔＴ＜０．８℃／ｓｅｃ）は第２の移動制御における移動速度を低速に設定する（例えば０．２ｍｍ／ｓｅｃ）。
【００７２】
このように、第１の実施形態に係る画像形成装置１は、用紙Ｓを狭持して搬送する定着ニップを形成し、この定着ニップを通過する用紙Ｓを加熱、加圧することにより、トナー像を用紙に定着させる定着部材ＦＭと、定着部材ＦＭを用紙幅方向に移動させる移動部８１と、定着部材ＦＭの端部に対応して配置されて定着部材ＦＭとともに移動し、定着部材ＦＭの端部の温度を検出する温度検出部８２と、温度検出部８２の検出結果に基づいて、一定周期で定着部材ＦＭを用紙幅方向に往復移動（揺動）させる第１の移動制御、又は定着部材ＦＭの温度が所定の温度範囲となるように定着部材ＦＭを用紙幅方向に移動させる第２の移動制御を行う制御部１００と、を備える。
【００７３】
第１の実施の形態に係る画像形成装置１によれば、定着部６０において第１の移動制御と第２の移動制御を適宜に切り替えて実行するので、第１の移動制御により定着部材ＦＭにおけるエッジ傷の発生を防止できるとともに、第２の移動制御により定着部材ＦＭにおける温度の均一化を図ることができ、画像品質の向上を図ることができる。
【００７４】
［第２の実施の形態］
第１の実施の形態では、通常、定着部材ＦＭの他方の端部（図３では右端部）における温度変化は、一方の端部の温度変化とは逆の挙動になると考えてよいので、定着部材ＦＭの一方の端部にのみ対応して温度検出部８２が配置されている。しかし、第１の実施の形態においては、定着部材ＦＭの右端部の温度が所定の温度範囲外となっていても、左端部の温度が所定の温度範囲外とならなければ第２の移動制御は行われない。
これに対して、第２の実施の形態では、図６に示すように、定着部材ＦＭの左端部に対応して第１の温度検出部８２Ａが配置され、右端部に対応して第２の温度検出部８２Ｂが配置されている。これにより、定着部材ＦＭの一方の端部でだけ所定の温度範囲外となる場合にも対応することができる。
【００７５】
好ましくは、温度検出部８２Ａ、８２Ｂは、基準状態における通紙部分ＰＦと非通紙部分ＮＰＦ１、ＮＰＦ２との境界Ｂ１、Ｂ２の近傍に配置される。これにより、定着部６０の移動に伴い熱エネルギーの伝達態様が変化する部分における定着部材ＦＭの温度変化を的確に検出することができる。なお、その他の構成は第１の実施の形態と同様であるので、説明を省略する。
【００７６】
図７は、第２の実施の形態に係る定着移動制御処理の一例を示すフローチャートである。図７に示す定着移動制御処理は、例えば、画像形成処理が開始されることに伴い、ＣＰＵ１０１がＲＯＭ１０２に格納されている所定のプログラムを実行することにより実現される。なお、図７の定着移動制御処理において、第１の実施の形態と同様である事項については、説明を省略する。
【００７７】
図７のステップＳ２０１において、制御部１００は、第１の温度検出部８２Ａで検出された第１の検出温度ＴA、及び第２の温度検出部８２Ｂによって検出された第２の検出温度ＴBを取得する。
【００７８】
ステップＳ２０２において、制御部１００は、第１の検出温度ＴAが所定の温度範囲内（ここでは１６５℃〜１９０℃）にあるか否かを判定する。そして、制御部１００は、第１の検出温度ＴAが所定の温度範囲内にあると判定した場合はステップＳ２０３の処理に移行し、第１の検出温度ＴAが所定の温度範囲外であると判定した場合はステップＳ２０４の処理に移行する。
【００７９】
ステップＳ２０３において、制御部１００は、第２の検出温度ＴBが所定の温度範囲内（ここでは１６５℃〜１９０℃）にあるか否かを判定する。そして、制御部１００は、第２の検出温度ＴBが所定の温度範囲内にあると判定した場合はステップＳ２０５の処理に移行し、第２の検出温度ＴBが所定の温度範囲外であると判定した場合はステップＳ２０６の処理に移行する。
【００８０】
ステップＳ２０３と同様に、ステップＳ２０４において、制御部１００は、第２の検出温度ＴBが所定の温度範囲内（ここでは１６５℃〜１９０℃）にあるか否かを判定する。そして、制御部１００は、第２の検出温度ＴBが所定の温度範囲内にあると判定した場合はステップＳ２０７の処理に移行し、第２の検出温度ＴBが所定の温度範囲外であると判定した場合はステップＳ２０８の処理に移行する。
【００８１】
第１の検出温度ＴA及び第２の検出温度ＴBが何れも所定の温度範囲内にある場合（ステップＳ２０２で“ＹＥＳ”→ステップＳ２０３で“ＹＥＳ”）、ステップＳ２０５において、制御部１００は、第１の移動制御を行う。つまり、定着部６０が移動しても通紙部分ＰＦの温度は定着温度付近に保持されると判断できるので、エッジ傷の発生を防止するための第１の移動制御が行われる。
【００８２】
第１の検出温度ＴAが所定の温度範囲内であり、第２の検出温度ＴBが所定の温度範囲外である場合（ステップＳ２０２で“ＹＥＳ”→ステップＳ２０３で“ＮＯ”）、ステップＳ２０６において、制御部１００は、第２の検出温度ＴBに従って第２の移動制御を行う。この第２の移動制御は、図５のステップＳ１０４〜Ｓ１０６と同様である。
すなわち、第２の検出温度ＴBが下限温度ＴLを下回っている場合、制御部１００は、定着部材ＦＭの右端部の温度が上昇する方向に定着部６０を移動させる。このときの移動速度は、第１の実施の形態と同様に制御される。この第２の移動制御が繰り返されることで、定着部材ＦＭの右端部の温度は所定の温度範囲まで回復する。
また、第２の検出温度ＴBが上限温度ＴUを超えている場合、制御部１００は、定着部材ＦＭの右端部の温度が降下する方向に定着部６０を移動させる。この第２の移動制御が繰り返されることで、定着部材ＦＭの左端部の温度は所定の温度範囲まで回復する。
【００８３】
なお、ステップＳ２０６における第２の移動制御により定着部材ＦＭの右端部の温度は所定の温度範囲まで回復するが、定着部材ＦＭの左端部における温度変化は、右端部の温度変化とは逆の挙動になる。そのため、第２の検出温度ＴBが所定の温度範囲まで回復する前に第１の検出温度ＴAが所定の温度範囲外となることもあり得る。このような場合は、ステップＳ２０８における第２の移動制御が行われることとなる。
【００８４】
第１の検出温度ＴAが所定の温度範囲外であり、第２の検出温度ＴBが所定の温度範囲内である場合（ステップＳ２０２で“ＮＯ”→ステップＳ２０４で“ＹＥＳ”）、ステップＳ２０７において、制御部１００は、第１の検出温度ＴAに従って第２の移動制御を行う。この第２の移動制御（移動速度の制御も含む）は、図５のステップＳ１０４〜Ｓ１０６と同様である。
すなわち、第１の検出温度ＴAが下限温度ＴLを下回っている場合、制御部１００は、定着部材ＦＭの左端部の温度が上昇する方向に定着部６０を移動させる。このときの移動速度は、第１の実施の形態と同様に制御される。この第２の移動制御が繰り返されることで、定着部材ＦＭの左端部の温度は所定の温度範囲まで回復する。
また、第１の検出温度ＴAが上限温度ＴUを超えている場合、制御部１００は、定着部材ＦＭの左端部の温度が降下する方向に定着部６０を移動させる。この第２の移動制御が繰り返されることで、定着部材ＦＭの左端部の温度は所定の温度範囲まで回復する。
【００８５】
なお、ステップＳ２０７における第２の移動制御により定着部材ＦＭの左端部の温度は所定の温度範囲まで回復するが、定着部材ＦＭの右端部における温度変化は、左端部の温度変化とは逆の挙動になる。そのため、第１の検出温度ＴAが所定の温度範囲まで回復する前に第２の検出温度ＴBが所定の温度範囲外となることもあり得る。このような場合は、ステップＳ２０８における第２の移動制御が行われることとなる。
【００８６】
第１の検出温度ＴA及び第２の検出温度ＴBが何れも所定の温度範囲外である場合（ステップＳ２０２で“ＮＯ”→ステップＳ２０４で“ＮＯ”）、ステップＳ２０８において、制御部１００は、第１の検出温度ＴA又は第２の検出温度ＴBに従って第２の移動制御を行う。第１の検出温度ＴAに従って第２の移動制御を行う場合はステップＳ２０７の処理と同様となり、第２の検出温度ＴBに従って第２の移動制御を行う場合はステップＳ２０６の処理と同様となる。
【００８７】
ここで、第１の検出温度ＴAと第２の検出温度ＴBの何れに従って第２の移動制御を行うかは予め設定される。
例えば、第１の検出温度ＴAと第２の検出温度ＴBのうち、上限温度ＴUを超えて所定の範囲外となっている方の検出温度に従って第２の移動制御を行うように設定される。この設定は、定着部材ＦＭの耐久性の劣化防止を優先して行う場合に有用である。
【００８８】
また例えば、第１の検出温度ＴAと第２の検出温度ＴBのうち、下限温度ＴLを超えて所定の範囲外となっている方の検出温度に従って第２の移動制御を行うように設定される。この設定は、定着部６０における定着性能の確保を優先して行う場合に有用である。
【００８９】
また例えば、第１の検出温度ＴAと第２の検出温度ＴBのうち、所定の温度範囲との乖離量（検出温度Ｔと下限温度ＴLとの温度差）が大きい方の検出温度に従って第２の移動制御を行うように設定される。この設定は、定着部材ＦＭの温度の均一化を図る場合に有用である。
【００９０】
なお、ステップＳ２０８における第２の移動制御により定着部材ＦＭの左端部又は右端部の一方の温度が所定の温度範囲まで回復した場合は、ステップＳ２０６又はステップＳ２０７における第２の移動制御が行われることとなる。
また、定着部材ＦＭの左端部、右端部における温度変化は逆の挙動を示すため、第１の検出温度ＴAと第２の検出温度ＴBが何れも上限温度ＴUを超える、又は下限温度ＴLを下回ることは想定されにくいが、このような場合は所定の温度範囲との乖離量が大きい方の検出温度に従って第２の移動制御を行うようにすればよい。
【００９１】
このように、第２の実施形態に係る画像形成装置１は、用紙Ｓを狭持して搬送する定着ニップを形成し、この定着ニップを通過する用紙Ｓを加熱、加圧することにより、トナー像を用紙に定着させる定着部材ＦＭと、定着部材ＦＭを用紙幅方向に移動させる移動部８１と、定着部材ＦＭの端部に対応して配置されて定着部材ＦＭとともに移動し、定着部材ＦＭの端部の温度を検出する温度検出部８２Ａ、８２Ｂと、温度検出部８２Ａ、８２Ｂの検出結果に基づいて、一定周期で定着部材ＦＭを用紙幅方向に往復移動（揺動）させる第１の移動制御、又は定着部材ＦＭの温度が所定の温度範囲となるように定着部材ＦＭを用紙幅方向に移動させる第２の移動制御を行う制御部１００と、を備える。
【００９２】
第２の実施の形態に係る画像形成装置１によれば、定着部６０において第１の移動制御と第２の移動制御を適宜に切り替えて実行するので、第１の移動制御により定着部材ＦＭにおけるエッジ傷の発生を防止できるとともに、第２の移動制御により定着部材ＦＭにおける温度の均一化を図ることができ、画像品質の向上を図ることができる。
【００９３】
また、第２の実施の形態に係る画像形成装置１では、温度検出部が、定着部材ＦＭの左端部に対応して配置される第１の温度検出部８２Ａと、右端部に配置される第２の温度検出部８２Ｂと、で構成され、第１の検出温度ＴA（第１の温度検出部８２Ａの検出結果）又は第２の検出温度ＴB（第２の温度検出部８２Ｂの検出結果）に基づいて第２の移動制御が行われる。
これにより、定着部材ＦＭの一方の端部でだけ所定の温度範囲外となる場合にも対応することができる。すなわち、第２の移動制御が早期に開始されることとなるので、定着部材ＦＭの温度の均一化を図るのに有用である。
【００９４】
以上、本発明者によってなされた発明を実施の形態に基づいて具体的に説明したが、本発明は上記実施の形態に限定されるものではなく、その要旨を逸脱しない範囲で変更可能である。
【００９５】
例えば、実施の形態における温度検出部８２（８２Ａ、８２Ｂ）を、画像形成に用いられる最大サイズの用紙の通紙領域外に固定して、配置するようにしてもよい。通紙範囲内に比べて非通紙部温度の許容範囲は広いため、用紙のエッジ傷対策の第１の移動の効果を十分に発揮しつつ、最低限の温度制御（次回プリント時のホットオフセットの防止、光沢ノイズ等の対策、待ち時間の抑制のための温度制御）が可能となる。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９７】
１  画像形成装置
１０  画像読取部
２０  操作表示部
３０  画像処理部
４０  画像形成部
５０  用紙搬送部
６０  定着部
６１  定着面側部材
６２  裏面側支持部材
６３  加熱源
８１  移動部
８２、８２Ａ、８２Ｂ  温度検出部
１００  制御部
Ｆ  定着器
ＦＭ  定着部材
ＰＦ  通紙部分
ＮＰＦ１、ＮＰＦ２  非通紙部分
【図１】
2014106417.tif 000005
【図２】
2014106417.tif 000006
【図３】
2014106417.tif 000007
【図４】
2014106417.tif 000008
【図５】
2014106417.tif 000009
【図６】
2014106417.tif 000010
【図７】
2014106417.tif 000011